【事件の表示】
　商願２０００−３４４９７拒絶査定に対する審判事件について、次のとおり審決する。
【結　論】
　本件審判の請求は、成り立たない。
【理　由】
１　本願商標
　本願商標は、「ＷｅｂＲｉｎｇｓ」の欧文字及び「ウエブリングス」の片仮名文字を二段に書してなり、第４２類「電子計算機の性能・操作方法等に関する紹介及び説明，電子計算機のプログラムの設計・作成又は保守，電子計算機（中央処理装置及び電子計算機用プログラムを記憶させた電子回路、磁気ディスク、磁気テープその他の周辺機器を含む。）の貸与」を指定役務として、平成１２年４月４日に登録出願されたものである。
　　
２　原査定の拒絶の理由
　原査定は、「本願商標は『ＷｅｂＲｉｎｇｓ』の欧文字と下段にその表音と認められる『ウェブリングス』の文字を書してなるが、指定役務との関連では、近年、同じような趣味・指向を持つ複数のホームページ（ウェブサイト）をグループ化しハイパーリンクで連結し、需要者が類似のホームページのアクセスを行う際の便宜を図ることが行われており、そのような仕組みのことを『ウエブリング』と称している。これを本願指定役務中『電子計算機のプログラムの設計・作成又は保守』に使用したときは、単に上記のリンクのためのインターネット上のプロクラムを認識し、役務の質（内容）を表示するにすぎないものと認める。したがって、本願商標は、商標法第３条第１項第３号に該当し、前記役務以外の役務に使用するときは、役務の質の誤認を生じさせるおそれがあるので、商標法第４条第１項第１６号に該当する。」旨認定、判断し、本願を拒絶したものである。
　　　
３　当審の判断                       
（１）本願商標は、上記のとおり、「ＷｅｂＲｉｎｇｓ」「ウエブリングス」の文字よりなるところ、その構成中前半の「Ｗｅｂ」「ウエブ」は、広辞苑第五版（岩波書店発行）の「ウェッブ【web】」の項に「ワールド‐ワイド‐ウェッブの略。」と記載されているほか、「ワールド‐ワイド‐ウェッブ【world wide web】」には「インターネットで用いられる情報検索システムおよびクライアント‐サーバー‐システムの一」と記載されており、さらに、日経パソコン新語辞典（日経ＢＰ社発行）の「ＷＷＷ」の項に「インターネットに公開されている文書を検索するためのシステムの一つ、単に蜘蛛の巣を意味するＷｅｂとも呼ばれる」ともある。他方、同後半の「Ｒｉｎｇｓ」「リングス」は、「環、環（ｃｉｒｃｌｅ）」の意味を有する「Ｒｉｎｇ」の複数形を表した語と認められるものであり、本願商標は、これら文字を結合してなるものである。
　そして、当該「ＷｅｂＲｉｎｇｓ」の語は、「同じ趣味や興味を持つ人のサイト（ホームページ）をリングのように繋ぎ合わせるシステム」の如き意味合いのものとして使用されており、かつ、「Ｗｅｂｒｉｎｇ」「ウエブリング」の語と同義語としても用いられていることは、例えば、以下のインターネットのホームページ情報からも認められるところである。
（ア）http://www.amifriend.com/penpal/jp/webrings.htm         
　Webrings私の入っているWebring （同じジャンルのホームページの所有者同士でリンクができる無料サービス） へのリンクです。ランダムにペンパルサイトを選ぶことも、一覧表の中から選ぶこともできます。海外ペンパルサイトへのリンク集同様、ペンパル探しに活用して下さい。
（イ）http://dns2.multinet.gr.jp/946web/
　 Mainmenu  Home  
WebRings
（ウ）http://www2.starcat.ne.jp/~meow/link/web_ring.htm
　こちらはｐｏｓｙのサイトです。このページには「HOME」の「WebRings」から戻れます。お花と詩・散文に必ず出会えるウエブリング。やさしい気持ちになれますよ。ガーデニングの知識も得られそう。日々の暮らしを楽しむことを大切にしている人たちのサイトを繋ぐウエブリング。様々な“スキ”があってとてもたのしいサーフィンになると思います。自分の暮らしにとりいれたいなってものに出会えるといいですね。
（エ）http://kojikato.tripod.co.jp/jidoweb.htm
　ウェブリングとは、登録されたサイトを「巡回」するという形式の相互リンクです。従来の「リンク集」は、いくつもの関連サイトを続けて訪問するのには不向きです。その点このウェブリングは、複数のサイトを訪問するのに最適なシステムと言えます。 
（オ）http://naha.cool.ne.jp/globalwalker/webring.htm
　A Global Walker 同じ青空の下で Webrings　Webringは共通の主題を持ったWebsiteを環状に結ぶ機能です。どんなSiteが出てくるかお楽しみ。
（カ）http://www.indiporo.com/wex/webring/
　ウェブリングとは、同じ趣味や興味を持つ人のサイトをリングのように繋ぎ合わせるシステムのことです。「早稲田大学ウェブリング」は早稲田大学の学生および卒業生がつくったサイト（ホームページ）同士をつなぐコミュニケーションの輪です。各サイトのウェブマスター（オーナー）が、ナビゲーションバーというものを自分のサイトにはりつけます。サイトの訪問者はそのナビゲーションバーをクリックすることで、そのリングの中を自在に行き来することができます。
（キ）http://www.geocities.co.jp/AnimeComic-Cell/9487/ringhome.html
　ウェブリングとは一種のコミュニティーであり、同じ趣味・興味を持つ人たちが、互いのサイトを 繋ぎあわせてつくられたリングの集大成です。「幽遊白書ウェブリング」は、幽遊白書に関連した コンテンツのあるサイトを持っている方々のために、また、どんな幽遊のウェブサイトがあるのか知りたい、それらのサイトを効率よく見て回りたいと思っている 方々のためにつくられたウェブリングです。
（ク）http://www.geocities.co.jp/PowderRoom/1496/webring.html
　WEB RING ウェブリングとは ウェブリング・ジャパンから提供されたリンクのシステムの事です。同じ趣味や、同じカテゴリをもつホームページを輪「RING」でつないであるので、同じ趣向のページを簡単にネットサーフィンすることができます。 
（ケ）http://www.webring.ne.jp/join.html
　ウェブリングは、皆さんの趣味・趣向により形成されていくコミュニティーみたいなものです。ウェブ ページをお持ちであればどなたでも参加することが出来ます。 
（コ）http://www2.famille.ne.jp/~sawaken/anoko/ring/ring.html
　「Japanese Backpacker's Webring」は日本語で書かれた海外の情報・旅行記など旅好きな人たちのサイトを相互リンクする一種のコミュニティで、「あのこの旅路」が運営しています。・・・「ウェブリング」とは、ホームページを輪（リング）のように相互リンクするものです。ホームページを訪れた方々は、このリングの中をたどっていくことにより、テーマをもったホームページを効率よく次々と訪問することができます。このリングに参加している各ホームページには、次のようなナビゲーション・バーが置いてあり、ウェブリングというサービスを利用して相互リンクしています。 
（２）以上の事実を総合すれば、本願商標をその指定役務中「電子計算機のプログラムの設計・作成又は保守」について使用した場合、これに接する取引者、需要者は、その提供に係る役務が上記プログラムの内容、すなわち、役務の質（内容）等を表示したものと理解するに止まり、自他役務の識別標識としての機能を果たす商標とは認識し得ないというのが相当である。
（３）したがって、本願商標が商標法第３条第１項第３号に該当するものとして、本願を拒絶した原査定は妥当であって、取り消すことはできない。
　よって、結論のとおり審決する。